(57)【要約】  番組情報を取得する番組情報取得部と、時間軸と、前記時間軸と交差するチャンネル軸と、により画定される複数の番組セルに前記番組情報をそれぞれ全番組表示欄として表示させる全番組表示処理部と、前記番組情報取得部が取得した番組情報から特定の番組情報を選択する推奨番組情報選択部と、選択された推奨番組の番組情報を、前記全番組表示欄を表示させるための番組情報と関連付け可能な状態で記憶する推奨番組記憶部と、前記推奨番組記憶部に記憶されている前記推奨番組の番組情報を前記全番組表示欄の時間軸を合わせて推奨番組表示欄として表示させる推奨番組表示処理部とを有することを特徴とする番組情報表示装置。
2011074450.tif 000002
【特許請求の範囲】
【請求項１】
番組情報を取得する番組情報取得部と、
時間軸と、前記時間軸と交差するチャンネル軸と、により画定される複数の番組セルに前記番組情報をそれぞれ全番組表示欄として表示させる全番組表示処理部と、
前記番組情報取得部が取得した番組情報から特定の番組情報を選択する推奨番組情報選択部と、
選択された推奨番組の番組情報を、前記全番組表示欄を表示させるための番組情報と関連付け可能な状態で記憶する推奨番組記憶部と、
前記推奨番組記憶部に記憶されている前記推奨番組の番組情報を前記全番組表示欄の時間軸を合わせて推奨番組表示欄として表示させる推奨番組表示処理部と
を有することを特徴とする番組情報表示装置。
【請求項２】
前記推奨番組記憶部に記憶された前記推奨番組欄の番組情報と前記全番組表示欄を表示させるための番組情報との関連付けに基づいて、関連する番組セルの一方の表示に合わせて他方の表示を制御するように前記全番組表示処理部と前記推奨番組表示処理部とを制御する番組表表示制御部を有することを特徴とする請求項１に記載の番組情報表示装置。
【請求項３】
前記推奨番組記憶部に記憶された前記推奨番組欄の番組情報と前記全番組表示欄を表示させるための番組情報との関連付けに基づいて、関連する番組セルの一方の操作と他方の操作とを等価とする制御を行う番組表操作制御部を有することを特徴とする請求項１又は２に記載の番組情報表示装置。
【請求項４】
前記番組表表示制御部は、前記推奨番組表示欄におけるフォーカス移動に基づいて、前記全番組表示におけるチャンネル軸を移動させることを特徴とする請求項２に記載の番組情報表示装置。
【請求項５】
前記番組表表示制御部は、前記推奨番組表示欄におけるフォーカス移動に基づいて、前記全番組表示におけるチャンネル軸を複数の放送局群単位で移動させることを特徴とする請求項２に記載の番組情報表示装置。
【請求項６】
前記推奨番組情報選択部は、番組の視聴又は操作履歴のうちの少なくともいずれか一方に基づいて、推奨番組を表示させることを特徴とする請求項１から５までのいずれか１項に記載の番組情報表示装置。
【請求項７】
前記推奨番組表示処理部は、推奨番組が存在しない時間帯の番組セルに、前記存在しない時間帯の前後のいずれかの時間帯の推奨番組の放送局の番組を隙間番組として表示させることを特徴とする請求項１から６までのいずれか１項に記載の番組情報表示装置。
【請求項８】
前記隙間番組を表示する番組セルに、放送開始時間又は放送終了時間の時間軸のいずれかが欠けていることを示すことを特徴とする請求項７に記載の番組情報表示装置。
【請求項９】
前記推奨番組欄の表示に基づいて、番組を自動選局する推奨番組自動選局機能を有することを特徴とする請求項１から８までのいずれか１項に記載の番組情報表示装置。
【請求項１０】
前記推奨番組欄の表示において、番組セル領域を拡大又は縮小して表示させる表示領域変更機能を有することを特徴とする請求項１から９までのいずれか１項に記載の番組情報表示装置。
【請求項１１】
前記推奨番組表示と前記全番組表示との両方の表示、又は、いずれか一方の表示を切り替える機能を有することを特徴とする請求項１から１０までのいずれか１項に記載の番組情報表示装置。
【請求項１２】
番組情報を取得する番組情報取得部と、時間軸と、前記時間軸と交差するチャンネル軸と、により画定される複数の番組セルに前記番組情報をそれぞれ全番組表示欄として表示させる全番組表示処理部と、前記番組情報取得部が取得した番組情報から特定の番組情報を選択する推奨番組情報選択部と、選択された推奨番組の番組情報を、前記全番組表示欄を表示させるための番組情報と関連付け可能な状態で記憶する推奨番組記憶部と、前記推奨番組記憶部に記憶されている前記推奨番組の番組情報を前記全番組表示欄の時間軸を合わせて推奨番組表示欄として表示させる推奨番組表示処理部と、を有する番組情報表示装置において、
前記推奨番組表示欄の表示に基づいて、推奨番組での起動設定を可能とする起動設定部を有することを特徴とする番組情報表示装置。
【請求項１３】
前記起動設定部における推奨番組での起動設定に基づいて、起動時にはラストチャンネルで起動させ、その後に推奨番組に自動的に切り替えることを特徴とする請求項１２に記載の番組情報表示装置。
【請求項１４】
前記ラストチャンネルの表示時に、推奨番組に切り替わる旨を報知することを特徴とする請求項１３に記載の番組情報表示装置。
【請求項１５】
さらに、前記ラストチャンネルの表示時に、推奨番組に切り替わりを中止してラストチャンネルの表示を維持するための操作方法を報知することを特徴とする請求項１４に記載の番組情報表示装置。
【請求項１６】
請求項１から１５までのいずれか１項に記載の番組情報表示装置を備えたテレビジョン受信装置。
【請求項１７】
番組情報を取得する番組情報取得ステップと、
時間軸と、前記時間軸と交差するチャンネル軸と、により画定される複数の番組セルに前記番組情報をそれぞれ全番組表示欄として表示させる全番組表示処理ステップと、
前記番組情報取得部が取得した番組情報から特定の番組情報を選択する推奨番組情報選択ステップと、
選択された推奨番組の番組情報を、前記全番組表示欄を表示させるための番組情報と関連付け可能な状態で記憶する推奨番組記憶ステップと、
前記推奨番組記憶ステップで記憶されている前記推奨番組の番組情報を前記全番組表示欄の時間軸を合わせて推奨番組表示欄として表示させる推奨番組表示処理ステップと
を有することを特徴とする番組情報表示方法。
【請求項１８】
番組情報として、全番組表示と推奨番組表示とを表示する番組情報表示方法であって、
ラストチャンネルの画面の表示を行うステップと、
推奨番組で起動する設定になっているかどうかを判定するステップと、
推奨番組で起動する設定になっている場合に、現在時刻を取得し、推奨番組情報取得中の表示を行うステップと、
現在時刻の推奨番組のチャンネル情報を取得し、チャンネル情報に基づいて推奨番組を選局し、画面に表示させるステップと
を有することを特徴とする番組情報表示方法。
【請求項１９】
請求項１７又は１８に記載の番組情報表示方法をコンピュータに実行させるためのプログラム。
【請求項２０】
請求項１９に記載のプログラムを記録するコンピュータ読み取り可能な記録媒体。
【発明の詳細な説明】
【技術分野】
【０００１】
本発明は、番組情報表示技術に関し、特に、推奨番組を表示する番組情報表示技術に関する。
【背景技術】
【０００２】
現在、デジタルテレビジョン受信装置の普及が進み、多チャンネル化に伴い、電子番組表（ＥＰＧ）による番組の確認、予約などが行われている。一般的には、このような番組情報提供サービスにおいて、各放送局の番組放送スケジュール情報を、新聞に掲載されている「ラジオ・テレビ欄（ラテ欄）」と同様の表示方式で画面に表示させる。【０００３】
また、例えば特許文献１に開示されている方法を用いて、番組情報提供サービスと過去の視聴履歴とを元に視聴者により好まれる番組コンテンツまたはチャンネル（レコメンド）のお気に入りリストを表示することが可能である。【０００４】
下記特許文献１に記載の技術では、ユーザの視聴履歴を元に、所定の向こう数時間(数日)における優先順位の高い番組を、横軸を時間軸にして一次元に表示する（レコメンド番組表）。この表示をＵＩとして、レコメンド番組表に沿って自動的に選局を行うことができる。さらに、優先パラメータが一定値に満たない番組は、ユーザが希望する番組が無い空き時間として表示している。この空き番組の時間帯は装置をスタンバイ状態にするものである。
【先行技術文献】
【特許文献】
【０００５】
【特許文献１】特開２０００−３３３０８５号公報
【発明の概要】
【発明が解決しようとする課題】
【０００６】
しかしながら、上記特許文献１に記載の技術では、過去の視聴履歴で作成した番組表だけを表示するため、同じ時間帯にどのような番組が放送されているかを知るためには、番組表の表示画面に切り換えて確認する必要があるという問題がある。【０００７】
また、電源を入れたときに、レコメンド番組を視聴するためには、電源遮断時に視聴していたラストチャンネルが選局された後に、レコメンド番組表を表示させてレコメンド番組を選択するか、チャンネル自動選局モード呼出スイッチ等の特別なスイッチを押下する必要があるため、操作が煩雑であった。さらに、視聴予約などの予約操作は、普通の番組表表示で行うものであるため、予約したい番組がレコメンド番組であるか否かを確認しながら予約を行うことが難しいという問題がある。【０００８】
また、装置の電源を入れたときに、レコメンド番組を視聴するためには、電源遮断時に視聴していたチャンネルを選局された後に、レコメンド番組表が表示されてからレコメンド番組を選択するか、チャンネル自動選局モード呼出スイッチを押下する必要がある。【０００９】
本発明は、推奨番組を含めた番組表をユーザーインターフェイスとする操作を簡単にすることを目的とする。【００１０】
また、本発明は、推奨番組を含めた番組表をユーザインターフェイスとする操作を簡単にする際に、選局の操作をわかりやすくすることを目的とする。
【課題を解決するための手段】
【００１１】
本発明の一観点によれば、番組情報を取得する番組情報取得部と、時間軸と、前記時間軸と交差するチャンネル軸と、により画定される複数の番組セルに前記番組情報をそれぞれ全番組表示欄として表示させる全番組表示処理部と、前記番組情報取得部が取得した番組情報から特定の番組情報を選択する推奨番組情報選択部と、選択された推奨番組の番組情報を、前記全番組表示欄を表示させるための番組情報と関連付け可能な状態で記憶する推奨番組記憶部と、前記推奨番組記憶部に記憶されている前記推奨番組の番組情報を前記全番組表示欄の時間軸を合わせて推奨番組表示欄として表示させる推奨番組表示処理部とを有することを特徴とする番組情報表示装置が提供される。ここで、特定の推奨番組と全番組表示の対応する番組とがリンクしている。従って、視聴履歴等によりユーザーに推奨する番組表と全チャンネルの番組表を同時に表示させることでき、推奨番組の時間帯に放送される番組が何であるかを容易に確認することができる。この際、時間軸表示欄を挟んで両画面を表示させると良い。【００１２】
前記推奨番組記憶部に記憶された前記推奨番組欄の番組情報と前記全番組表示欄を表示させるための番組情報との関連付けに基づいて、関連する番組セルの一方の表示に合わせて他方の表示を制御するように前記全番組表示処理部と前記推奨番組表示処理部とを制御する番組表表示制御部を有することを特徴とする。同じ番組であることがわかるような表示（カラー、ハッチなど）を付すことにより、ユーザの視認性をより良くすることができる。【００１３】
前記推奨番組記憶部に記憶された前記推奨番組欄の番組情報と前記全番組表示欄を表示させるための番組情報との関連付けに基づいて、関連する番組セルの一方の操作と他方の操作とを等価とする制御を行う番組表操作制御部を有することを特徴とする。これにより、フォーカス、視聴、予約などが、全番組表、推奨番組表（欄）のいずれからでも可能となる。また、推奨番組欄から視聴・録画予約が可能となる。【００１４】
前記番組表表示制御部は、前記推奨番組表示欄におけるフォーカス移動に基づいて、前記全番組表示におけるチャンネル軸を移動させることを特徴とする。前記番組表表示制御部は、前記推奨番組表示欄におけるフォーカス移動に基づいて、前記全番組表示におけるチャンネル軸を複数の放送局群単位で移動させることを特徴とする。前記推奨番組情報選択部は、番組の視聴又は操作履歴のうちの少なくともいずれか一方に基づいて、推奨番組を表示させることを特徴とする。前記推奨番組表示処理部は、推奨番組が存在しない時間帯の番組セルに、前記存在しない時間帯の前後のいずれかの時間帯の推奨番組の放送局の番組を隙間番組として表示させることを特徴とする。前記隙間番組を表示する番組セルに、放送開始時間又は放送終了時間の時間軸のいずれかが欠けていることを示すことを特徴とする。【００１５】
前記推奨番組欄の表示に基づいて、番組を自動選局する推奨番組自動選局機能を有することを特徴とする。メニューの設定により、電源を入れたときの選局番組を電源遮断時に視聴していたチャンネルとするか、ユーザー視聴の履歴によるおすすめ番組を選局することができる。【００１６】
前記推奨番組欄の表示において、番組セル領域を拡大又は縮小して表示させる表示領域変更機能を有することを特徴とする。前記推奨番組表示と前記全番組表示との両方の表示、又は、いずれか一方の表示を切り替える機能を有することを特徴とする。【００１７】
また、本発明の一観点によれば、番組情報を取得する番組情報取得部と、時間軸と、前記時間軸と交差するチャンネル軸と、により画定される複数の番組セルに前記番組情報をそれぞれ全番組表示欄として表示させる全番組表示処理部と、前記番組情報取得部が取得した番組情報から特定の番組情報を選択する推奨番組情報選択部と、選択された推奨番組の番組情報を、前記全番組表示欄を表示させるための番組情報と関連付け可能な状態で記憶する推奨番組記憶部と、前記推奨番組記憶部に記憶されている前記推奨番組の番組情報を前記全番組表示欄の時間軸を合わせて推奨番組表示欄として表示させる推奨番組表示処理部と、を有する番組情報表示装置において、前記推奨番組表示欄の表示に基づいて（時間帯を参照して）推奨番組での起動設定を可能とする起動設定部を有することを特徴とする番組情報表示装置が提供される。ここで、特定の推奨番組と全番組表示の対応する番組とがリンクしている。従って、視聴履歴等によりユーザーに推奨する番組表と全チャンネルの番組表を同時に表示させることでき、推奨番組の時間帯に放送される番組が何であるかを容易に確認することができる。この際、時間軸表示欄を挟んで両画面を表示させると良い。【００１８】
前記起動設定部における推奨番組での起動設定に基づいて、起動時にはラストチャンネルで起動させ、その後に推奨番組に自動的に切り替わることを特徴とする。前記ラストチャンネルの表示時に、推奨番組に切り替わる旨を報知することを特徴とする。さらに、前記ラストチャンネルの表示時に、推奨番組に切り替わりを中止してラストチャンネルの表示を維持するための操作方法を報知することを特徴とする。本発明は、上記に記載の番組情報表示装置を備えたテレビジョン受信装置であっても良い。【００１９】
本発明の他の観点によれば、番組情報を取得する番組情報取得ステップと、時間軸と、前記時間軸と交差するチャンネル軸と、により画定される複数の番組セルに前記番組情報をそれぞれ全番組表示欄として表示させる全番組表示処理ステップと、前記番組情報取得部が取得した番組情報から特定の番組情報を選択する推奨番組情報選択ステップと、選択された推奨番組の番組情報を、前記全番組表示欄を表示させるための番組情報と関連付け可能な状態で記憶する推奨番組記憶ステップと、前記推奨番組記憶ステップで記憶されている前記推奨番組の番組情報を前記全番組表示欄の時間軸を合わせて推奨番組表示欄として表示させる推奨番組表示処理ステップと、を有することを特徴とする番組情報表示方法が提供される。【００２０】
また、本発明の他の観点によれば、番組情報として、全番組表示と推奨番組表示とを表示する番組情報表示方法であって、ラストチャンネル（ラスト視聴）画面の表示を行うステップと、推奨番組で起動する設定になっているかどうかを判定するステップと、推奨番組で起動する設定になっている場合に、現在時刻を取得し、推奨番組情報取得中の表示を行うステップと、現在時刻の推奨番組のチャンネル情報を取得し、チャンネル情報に基づいて推奨番組を選局し、画面に表示させるステップと、を有することを特徴とする番組情報表示方法が提供される。【００２１】
本発明は、上記に記載の番組情報表示方法をコンピュータに実行させるためのプログラムであっても良く、当該プログラムを記録するコンピュータ読み取り可能な記録媒体であっても良い。上記プログラムは、インターネットなどの伝送媒体によって取得されたものでも良い。【００２２】
本明細書は本願の優先権の基礎である日本国特許出願２００９−２８６０６９号、及び日本国特許出願２００９−２８５８６７号の明細書および／または図面に記載される内容を包含する。
【発明の効果】
【００２３】
本発明によれば、推奨番組と同じ時間帯の他の番組を容易に確認できることにより、推奨番組以外に同じ時間帯で見たい番組を見逃すことを防止することができる。【００２４】
また、推奨番組表示欄の表示に基づいて推奨番組での起動設定を可能とするとともに、推奨番組への自動的な遷移と、ユーザ操作等による遷移の禁止とを選択することができるため、ユーザの好きな番組を自動的に視聴し続けたり、視聴番組をラスト番組から切替禁止にすることも可能である。
【図面の簡単な説明】
【００２５】
【図１】本実施の形態による番組情報表示装置を含むデジタル放送受信装置の一構成例を示す機能ブロック図である。
【図２】図１に示す番組情報表示装置によって作成され、ディスプレイに表示される電子番組表の一構成例を示す図である。
【図３】図２に示す推奨番組表示のより具体的な表示例を示す図であり、この推奨番組欄表示におけるチャンネル視聴中の動作について例示的に示すための図である。
【図４】図２に示す推奨番組表示が付加された全画面表示例におけるカーソル移動によるフォーカス位置の移動等のユーザ操作に基づく、表示の切り替わり例を示す図である。
【図５】本実施の形態による番組表示処理の流れを示すフローチャート図である。
【図６】番組表操作処理の流れを示すフローチャート図である。
【図７】推奨番組の表示の変形例を示す図である。
【図８】起動時の第１表示例を示す図である。
【図９】起動時の第２表示例を示す図である。
【図１０】起動時の表示処理の流れを示すフローチャート図である。
【符号の説明】
【００２６】
Ａ…デジタル放送受信装置、ＡＴ…アンテナ、ＢＬ…バスライン、ＮＴ…ネットワーク、１…フロントエンド、３…デマルチプレクサ、５…映像・音声デコード部、６…番組情報デコード部（番組情報取得部）、７…音声出力部、９…視聴履歴分析部、１０…全番組表表示処理部、１１…推奨番組抽出部、１３…推奨番組欄表示処理部、１５…画面合成部、１７…表示部、１９…推奨番組選局処理部、２１…リモコン受光部、２３…制御部、２３ａ…番組表表示制御部、２３ｂ…番組表操作制御部、２５…メモリ部、２５ａ…推奨番組テーブル、２７…通信部。
【発明を実施するための形態】
【００２７】
本明細書において、推奨番組とは、視聴履歴などに基づいて装置から推奨された番組であり、隙間番組とは、推奨番組が存在しない時間帯において、隣接する推奨番組に基づいて選局されている番組である。推奨番組のより上位概念としては、ある基準（番組のカテゴリなど）によって選択された特定の番組のことである。
【００２８】
以下、本発明の実施の形態による番組情報表示技術について、図面を参照しながら説明を行う。図１は、本実施の形態による番組情報表示装置を含むデジタル放送受信装置の一構成例を示す機能ブロック図である。
【００２９】
図１に示すデジタル放送受信装置Ａは、アンテナＡＴから受信された放送信号から放送番組を選択するチューナなどを含むフロントエンド１と、多重化されている信号を映像信号と音声信号とに分けるデマルチプレクサ３と、映像信号と音声信号とをデコードする映像・音声デコード部５と、デコードされた音声を出力する音声出力部（スピーカなど）７と、デマルチプレクサ３からの出力から放送波に含まれているＳＩなどから抽出した番組情報をデコードする番組情報デコード部（番組情報取得部）６と、番組情報取得部６が取得した番組情報から電子番組表（ＥＰＧ）データを生成する番組表データ生成部８と、生成された番組表データから全番組表を表示する制御を行う全番組表表示処理部１０と、映像及び番組表示データなどを合成する画面合成部１５と、画面合成部１５で合成された映像を表示する表示部（ディスプレイなど）１７と、を有している。
【００３０】
さらに、各機能部全体を制御する制御部（ＣＰＵ）２３と、各種処理をＣＰＵ２３に実行させるためのプログラムなどを格納するメモリ部２５と、図示しないリモコン装置からのリモコン信号を受信するリモコン受光部２１と、を有している。さらに、メモリ部２５に記憶されているプログラムを制御部２３で実行させることで、視聴履歴を分析する視聴履歴分析部９と、番組から視聴履歴などに基づいて推奨（おすすめ）番組を抽出する推奨番組抽出部１１と、推奨番組欄の表示制御を行う推奨番組欄表示制御部１３と、推奨番組欄から推奨番組の選局処理を行う推奨番組選局処理部１９と、を備えている。メモリ部２５には、推奨番組テーブル２５ａが記憶されている。一般的な全番組表示を行う公知の表示処理部と上記推奨番組欄表示処理部１３とを合わせて、本実施の形態による番組表表示処理部（番組表表示制御部）２３ａを構成する。また、全番組表示欄と、推奨番組表示欄と、において、対応する番組への操作を同じとみなして処理を行う番組表操作制御部２３ｂを有している。
【００３１】
また、放送信号をアンテナＡＴからではなく、通信ネットワークＮＴを経由して受信する通信部２７を、付加的に又は別途有していてもよい。ここで、推奨番組欄を含む電子番組表の作成に係る部分が番組情報表示装置に該当する。推奨番組には、ネットワーク経由のコンテンツを含めても良い。
【表１】
2011074450.tif 000003
【００３２】
表１は、メモリ部２５に格納される推奨番組テーブル２５ａの一構成例を示す図である。表１に示すように、推奨番組テーブル２５ａは、番組名（イベントＩＤ）６１と、放送時間帯６３と、チャンネル６５と、タイトル６７と、推奨フラグ７１と、を有しており、これにより、後述する推奨番組欄を表示させることができる。一般的な全番組表示用の番組情報は、番組名（イベントＩＤ）６１と、放送時間帯６３と、チャンネル６５と、タイトル６７とを有している。
【００３３】
ここで、全番組表示用の番組情報と推奨番組テーブル２５ａの情報とは、放送時間帯６３毎に、例えばイベントＩＤ６１により、互いに関連付けされている。或いは、放送時間帯とチャンネルとにより関連付けされていても良い。このようにして、全番組表示用の番組セルと推奨番組表示の推奨番組セルとは、あたかも同じ表示として取り扱うことができる。すなわち、一方の番組セルについて色が付けられたり、フォーカスが当てられたり、他方の番組セルについても同様の表示が行われるように構成されている（番組表表示制御部２３ａ）。さらに、全番組表示と推奨番組表示とにおけるいずれか一方の番組セルにおいてフォーカスの当たっている番組へのＧＵＩ（視聴予約、録画予約、視聴実行などのための）からの操作は、他方の操作と等価になるように構成することができる（番組表操作制御部２３ｂ）。
【００３４】
尚、推奨フラグ７１は、表示の優先順位を表す値である。例えば、推奨フラグを数字で表した場合には、数字が大きい数字は優先順位が高く、放送時間帯が重なっている場合は、優先順位が高いものが推奨番組欄に表示されるようにするのが好ましい。この優先順位は、後述する優先順位に対応するものである。表１の１行目のイベントＩＤ６１は、“１”であり、放送時間帯は１５：００から１７：００、チャンネルは、“２”、タイトルは“ＡＢＣＸ”であり、推奨フラグ（優先順位）は“３”である。一方、表１の２行目のイベントＩＤ６１は、“２”であり、放送時間帯は１５：００から１７：００、チャンネルは、“６”、タイトルは“ＣＤＣ”であり、推奨フラグ（優先順位）は“５”である。従って、放送時間帯は１５：００から１７：００では、イベントＩＤ６１が“２”の番組の方が、イベントＩＤ６１が“１”の番組よりも推奨フラグの値が大きい。従って、推奨番組欄にはイベントＩＤ６１が“２”の番組の表示がなされることになる。この推奨番組テーブルは、一般的な全番組の番組情報に基づく情報テーブルに基づいて、優先順位などを基準に作成され、両方のテーブルの番組は常に関連付けされている。従って、推奨番組欄又は全番組表示欄のいずれかの番組セルに基づいて視聴、予約などの操作が行われると、その操作はいずれも有効であり、またユーザの利便性のために両方の欄の番組セルにその旨の表示がなされるようになっている。
【００３５】
図２は、図１に示す番組情報表示装置によって作成され、ディスプレイ１７に表示される電子番組表の一構成例を示す図である。図２に示す電子番組表Ｂは、多数の番組セルから構成される一般的な全番組表示（図では、横軸がチャンネル軸、縦軸が時間軸（放送時間帯表示３０により示す）の、いわゆるラジオ・テレビ欄（ラテ欄）を例にして表示されている。その他の表示形式の電子番組表でも同様の考えが可能である。本明細書では、この表示を全番組表示と称する。図２に示す番組情報表示では、全番組表示の例えば左側に、全画面表示と時間軸を合わせて、推奨番組表示欄３５が設けられている。推奨番組表示欄３５は、図２では、１列の表示となっているが、列の数を限定するものではない。また、推奨番組表示欄３５を配置する位置は左端に限定されるものではないが、電子番組表表示操作を行った場合に、常に同じ位置で初期表示されていることが好ましい。また、ここでは、推奨番組の欄を設けたが、全番組表示の欄からチャンネルを特定せずに何らかのアルゴリズムで選択された特定の番組の表示欄であれば、推奨番組の表示欄に限定されるものではない。
【００３６】
ここでは、図２の表示形式を前提として説明を続ける。全番組表示の例としては、放送局欄３１に放送局Ａ、Ｂ、Ｃ、Ｄ、Ｅ、…、が表示されており、ここでは、放送時間帯は、ＰＭ７時台からＰＭ９時台までの３時間を表示している。実際には、全ての番組セル３３に番組情報を表示させることができるが、ここでは、簡単のため、推奨番組表示と関連する番組セルの情報のみを記載している。推奨番組は、例えば全番組の中からユーザの視聴履歴などに基づいて視聴頻度の高いチャンネル、カテゴリ、キーワードを含む番組などを選択したものである。
【００３７】
また、推奨番組欄３５への番組表示が重ならないようにするための表示に関する優先順位は、例えば、以下の方法により決めることができる。
【００３８】
１）先週視聴、録画等を行った番組と同じ番組（同じ曜日で同じ時間帯の連続番組など）の優先順位を高くする。
【００３９】
２）選択対象の曜日、時間帯（例えば、日曜日の１８時台から２１時台）に、視聴頻度の高い番組のジャンルと一致するジャンルの番組の優先順位を高くする。ジャンルの履歴としては、ジャンル毎の視聴回数を、曜日、時間帯毎に集計して視聴回数の高さを基準に順位を付ける。例えば、ジャンル履歴が、１位：ニュース、２位：スポーツ、…となっている場合には、まずは、一意のニュースの番組を検索し、それが無ければ、２位のスポーツのジャンルに属する番組を探す。
【００４０】
また、予約した予約番組に関しては、予約に基づく処理が実行される前と実行された後で優先順位を変更するのが好ましい。例えば以下の通りである。
【００４１】
ａ）視聴予約が実際に実行された場合には、優先順位を上げる。予約されたが取り消されれば順位を変更しない。すなわち、視聴予約は視聴の実行時に優先順位を変更する。
【００４２】
ｂ）録画予約が実際に実行された場合には、優先順位を上げる。予約されたが取り消されれば順位を変更しない。すなわち、録画予約は録画の再生処理の実行時に優先順位を変更する。尚、録画予約した番組を優先的に履歴として登録すると良い。録画は視聴よりも一般的に視聴者の嗜好を反映しやすいからである。但し、上記の考え方は、様々な変形が可能である。
【００４３】
図２では、推奨番組欄３５には、時間軸３０に沿って順番に、推奨番組１（放送局Ａの番組１）３７、隙間番組（１）３９、推奨番組２（放送局Ｃの番組２）４１、隙間番組（２）４３、推奨番組３（放送局Ｂの番組３）４５が、上記推奨番組テーブルのデータに基づいて表示されている。推奨番組欄３５における隙間番組は、推奨番組ではないが、時間軸で隣接する推奨番組間に空き時間がある場合にその隙間の時間を埋める番組のことである。ここで、隙間番組（１）３９の右下隅の印３９ａは、隙間番組（１）３９の番組セル表示において放送終了時間が欠けることを示しており、隙間番組（２）４５の左上隅の印４３ａは、隙間番組（２）４３の番組セル表示において放送開始時間が欠けることを示している。
【００４４】
このように、例えば画面左側に推奨番組の推奨番組表を、画面右側に全チャンネルの全番組表を配置した構成で電子番組表を生成し表示することにより、時間軸を共通にした推奨番組表と全番組表を一覧できるため、推奨番組表を利用してお気に入りの番組を視聴等する操作を行うとともに、推奨番組欄と同じ時間帯の全番組表も参照することができるため、推奨番組のみに気を取られて他の番組を見逃してしまうことが少なくなる。
【００４５】
図３は、図２に示す推奨番組表示のより具体的な表示例を示す図であり、この推奨番組欄表示３５におけるチャンネル視聴中の動作について例示的に示すための図である。例えば、図２と同様に、ＰＭ７時台からＰＭ９時台までの３時間に、推奨番組（１）３７、隙間番組（１）３９、推奨番組（２）４１、隙間番組（２）４３、推奨番組（３）４５が表示されているとする。この場合の推奨番組欄のチャンネルを視聴中の動作は、以下の通りである。
【００４６】
（１）ＰＭ７：００において、推奨番組（１）３７のチャンネル（放送局Ａ）を選局し、表示画面（ディスプレイ）に映像の表示をする。
【００４７】
（２）ＰＭ７：３０において推奨番組（１）３７は終了するが、同じチャンネル（放送局Ａ）を維持するため（図２の符号３９ａで示されるマークが付されている）、ＰＭ７：３０では新たな選局処理はしない（隙間番組（１）３９の番組の映像が表示画面（ディスプレイ）に表示される。）。
【００４８】
（３）ＰＭ８：００に推奨番組（２）のチャンネル（放送局Ｃ）を選局し、表示画面（ディスプレイ）に映像を表示する。
【００４９】
（４）ＰＭ８：５４において、次の推奨番組である推奨番組（３）４５のチャンネル（放送局Ｂ）に選局し、表示画面（ディスプレイ）に映像を表示する（放送局Ｂ：  図２の放送開始時間が欠けるマーク４３ａにより、隙間番組（２）４３の放送開始時間は推奨番組欄３５には表示されない）。
【００５０】
（５）ＰＭ９：００に推奨番組（３）４５の推奨番組欄３５への表示及び放送局Ｂの番組３の表示画面（ディスプレイ）への映像の表示を行う。このタイミングで新たな選局は行わない。
【００５１】
推奨番組欄における推奨番組の視聴処理を選択すると、以上に示した（１）から（５）までの一連の処理が自動的に行われることになる。尚、例えばリモコンの終了ボタンなどを押すことにより、上記の自動的な連続処理を解除することも可能である。
【００５２】
図４は、図２に示す推奨番組表示が付加された全画面表示例におけるカーソル移動によるフォーカス位置の移動等のユーザ操作に基づく、表示の切り替わり例を示す図である。
【００５３】
図４（ａ）は、基本的には図２に示す表示例と同様であるが、より詳細に推奨番組と隙間番組とが全画面表示からどのように選択されるかを示す図であり、フォーカスの移動により番組表表示が移り変わる様子の例も合わせて示した図である。
【００５４】
推奨番組欄３５の推奨番組（１）３７としては、放送局Ａ３１−ＡのＰＭ７時からＰＭ７時３０分までの番組３１ａが視聴履歴などの優先度に基づいて選択され、その番組セルにフォーカスが当てられている場合を考える。次に、ＰＭ７時３０分に推奨番組（１）３７の放送が終了すると、放送局Ａで放送されるＰＭ７時３０分からＰＭ８時３０分までの隙間番組（１）３１ｂが推奨番組欄３５の隙間番組（１）３９として選択され表示される（ＡＲ１参照）。隙間番組（１）３９は８時３０分まで放送されているが、ＰＭ８時からＰＭ８時５４分までの時間帯においては放送局Ｃの番組（２）３１ｅが推奨番組となっており、従って、推奨番組欄３５には、ＰＭ８時からＰＭ８時５４分までの時間帯に推奨番組（２）４１が表示される。従って、符号３９ａで示すように、隙間番組（１）３９の放送終了時間が欠ける表示がなされる。
【００５５】
次の推奨番組は、放送局Ｃの番組（３）３１ｄであるが、この番組はＰＭ９：００に放送が開始されるため、ＰＭ８：５４からＰＭ９：００までの間に、推奨番組（３）３１ｄと同じ放送局Ｂで放送されている番組である隙間番組（２）３１ｃが推奨番組欄３５の隙間番組（２）４３として選択され表示される。この際、隙間番組（２）３１ｃは、ＰＭ８：３０分に放送が開始されるため、放送開始時間が欠ける旨の表示４３ａが推奨番組欄３５の隙間番組（２）４３に付加される。次いで、ＰＭ９：００からは、同じ放送局Ｂの推奨番組（３）３１ｄに基づいて推奨番組欄３５に推奨番組（３）４５の表示がなされる。
【００５６】
ここで、推奨番組欄３５において、例えば、推奨番組（１）３７にフォーカスを当てると（カーソルを移動させると）、放送局（Ａ）３１−Ａの表示が時間表示欄を挟んで推奨番組欄３５のすぐ右側に移動して表示される。さらに、推奨番組表示欄３５と全番組表示欄３１との対応する（同じ）番組セル３７、３１ａ同士には、同じ番組情報を表示させた番組セルであることを、わかりやすい色、ハッチなどを付して表示する。次いで、符号ＡＲ１で示すように、時間軸上で時間が遅くなる方向（ＰＭ８−９の時間帯）にフォーカスを移動させると、図４（ｂ）に示すように、推奨番組欄３５の推奨番組（２）４３にフォーカスされる。この際にも、全画面表示欄３１の放送局Ｃ３１−ＣのＰＭ８−９時の番組セル欄に推奨番組（２）３１ｅの番組セルにも両表示欄の対応関係に基づいてそのフォーカスが当たる。その際、全番組表示欄３１の左端の放送局が放送局Ｃ３１−Ｃになるように放送局（チャンネル）軸に沿って、移動するのが好ましい。尚、この放送局の移動は、例えば、５つの連絡した放送局ＡからＥまでを一単位として行われるようにすると良い。例えば、図４（ａ）では、全番組表示３１における放送局の並びが左端からＡ−Ｂ−Ｃ−Ｄ−Ｅとなっており、図４（ｂ）では、Ｃ−Ｄ−Ｅ−Ａ−Ｂとなっている。このように、複数の放送局のある固まり単位で番組表示のチャンネル軸に沿った表示の順番が変更されるようにすると、表示の変更処理の負担が軽減するという利点がある。
【００５７】
尚、番組表示においてカーソルを移動させるのは、例えば、リモコン装置のカラーボタンにより操作できるようにしても良い。
【００５８】
また、表示部への番組表の全画面表示と推奨番組欄表示と、両方の表示と、を切り替えて表示できるようにすると良い。また、推奨番組欄表示のみとした場合には、その表示を拡大するようにしても良く、また、番組詳細情報まで表示させるようにしても良い。
【００５９】
また、全画面表示と推奨番組欄表示との両方の表示をさせた場合に、全画面表示のいずれかの番組セルにカーソルが当てられているが、それが推奨番組であれば自動的に推奨番組欄を表示させ、それが推奨番組でなければ自動的に推奨番組欄の表示が決めるようにしても良い。
【００６０】
また、リモコンに推奨番組表示専用ボタンなどを設けておき、全画面表示のみの場合に、このボタンを押すと推奨番組欄も合わせて表示され、推奨表示のみが表示されている場合に、このボタン又はその他のボタンを押すと全画面表示も表示されるようにすると良い。
【００６１】
以下に、上記の処理の流れについて具体的に説明する。図５は、本実施の形態による番組表示処理の流れを示すフローチャート図である。まず、リモコンの電源ボタンなどがオンされるなどすると処理が開始され（開始）、ステップＳ１０１において、表示部に視聴画面が表示される。次いで、ステップＳ１０２において番組表示ボタンが押されると（Ｙｅｓ）、ステップＳ１０３において、現在時刻を取得する（例えばＰＭ７時１５分など）。ステップＳ１０４において、表１に示すような推奨番組表データを取得（参照）し、ステップＳ１０５において、通常（全画面）番組表データ（一般的なＥＰＧ表示用データ）を取得する。ステップＳ１０６において、ユーザの指示又は設定に基づいて、全画面番組表、推奨番組表のいずれか一方、又は両方（図２など）を、上記ＰＭ７時１５分を参照してその近傍の時間帯の情報を表示部に表示させる。これにより、図２、図４などに示すような表示が可能となる。
【００６２】
図６は、番組表操作処理の流れを示すフローチャート図であり、図４を参照しながら説明を行う。まず、処理が開始され、ステップＳ２０１において番組表表示がされた状態で、ステップＳ２０２において番組表ボタンが押されたかどうかを検出する。番組表ボタンが押されたことが検出されると（Ｙｅｓ：戻るボタンでも良い。）ステップＳ２０４に進み番組の視聴画面表示がなされ処理が終了する（終了）。ステップＳ２０２でＮｏ（番組表ボタンでないボタンがおされた）場合にはステップＳ２０３に進み、ステップＳ２０３でＹｅｓの場合には、ステップＳ２０５に進む。ステップＳ２０５において、推奨番組欄（表）で上下カーソルによりフォーカスが移動すると（時間軸に沿った移動）、ステップＳ２０６で、推奨番組表のカーソル位置の番組を、通常番組表（全番組表示の一般的な番組表）の例えば左端に表示させるように再構成し、カーソル位置の番組と対応する該当番組にも色などを付けて表示させ、ステップＳ２０２に戻る。
【００６３】
ステップＳ２０３でＮｏの場合には、ステップＳ２０７で左右ボタンが押されたか否かを判定する。Ｙｅｓの場合には、ステップＳ２０８に進み、通常番組表（全番組表示）で、左右（放送局軸に沿った方向に）にページ送り（複数の番組からなるグループ単位での移動など）が実行され、ステップＳ２０２に戻る。ステップＳ２０７でＮｏの場合には、ステップＳ２０９で決定ボタンが押されたか否かを判定する。Ｎｏの場合には、ステップ２０２に戻る。Ｙｅｓの場合には、ステップＳ２１０に進む。ステップＳ２１０において、決定ボタンが押された番組は未来の番組（現時点の時間を含む番組より後、例えば図２、４で現時点が、ＰＭ７:２０であれば、７:３０以降の番組）であるか否かを判定し、ＹｅｓであればステップＳ２１２に進み、例えば予約録画等が可能な画面表示に進み、処理が終了する（予約録画のための処理は省略する）。ステップＳ２１０において、決定ボタンが押された番組は未来の番組（現時点の時間を含む番組より後、例えば図２、４で現時点が、ＰＭ７:２０であれば、７:３０以降の番組）でない場合には（Ｎｏ）、ステップＳ２１１に進み、推奨番組を選局するとともに、推奨番組表示欄に表示させ、処理を終了する（終了）。
【００６４】
このように、表示部の左におすすめ番組の番組表、右側に全チャンネルの番組表を配置した構成で番組表を生成し表示させる。推奨番組の番組表のカーソル移動に合わせて、左の全番組表示においても該当番組が基準となるように表示させると良い。
【００６５】
尚、図１に示すメモリ部２５に記録されている図示しないメニュー設定に応じて、電源を入れたときのチャンネルを決定し、フロントエンド１を制御して選局を行うと良い。メニュー設定の内容としては、例えば、ａ）現在時刻を含む時間帯の推奨番組又は隙間番組にフォーカスを当てる設定、ｂ）ラストチャンネルにフォーカスを当てる設定（一般的な全番組表表示における設定）などがある。フォーカスが当てられた番組セルが少なくとも画面表示内に含まれるように番組表表示がなされるのが好ましい。
【００６６】
また、推奨番組と全番組表の番組とが同じ番組の場合には、いずれか一方にフォーカスが当てられている場合には、他方にも色表示などでその番組にフォーカスが当たっていることを明示するようにすると良い。また、推奨番組欄表示処理部１３により生成された推奨番組欄で未来の番組を選択することにより、視聴・録画予約を行うことができる。
【００６７】
図７は、推奨番組の表示の変形例を示す図である。図７に示すように、推奨番組欄３５における推奨番組の表示は、推奨番組のアイコン表示５５ａ（ここでは、四角い白の領域で示されている）を、一般的な全番組表示におけるダイレクト数字アイコン（例えば、１、３、４、６…など）の代わりに表示させている。アイコン表示５５ａ内に、「推奨」などの文字表示を行っても良い。さらに、一般的なアイコン５５ｂ、放送局名表示５５ｃがなされる。これにより、推奨番組であることを明示することができる。この領域５７には、番組情報５７ａが表示されている。尚、その下には、番組情報５７等を詳細表示しない簡単表示例が示されており、上下のいずれを表示するかに関して、ユーザ設定又は推奨番組表示の表示欄の領域の面積に基づいて自動的に決定するようにしても良い。
【００６８】
また、表示画面に推奨番組欄だけを表示させるようにした場合においては、表示面積を小さくすることができ、ＴＶ機能を備えた移動体端末など表示面積が小さい場合に便利である。
【００６９】
以上に説明したように、本実施の形態によれば、推奨番組と同じ時間帯の他の番組を全番組表示により容易に確認できる。従って、推奨番組よりも見たい番組があった場合にも、それを見逃すことを防止することができる。また、例えば、毎朝良く見るチャンネルについて、ユーザーが選局操作をしなくても、推奨番組欄の表示された番組として自動選局されるようにすることで、操作を簡単にして気に入っている番組を視聴するようにすることができる。すなわち、以下の効果を有する。
【００７０】
（１）視聴履歴によりユーザーにおすすめする番組表と全チャンネルの番組表を一画面で同時に表示することで、推奨番組の時間帯に放送される番組が何であるかを容易に確認することができる。
【００７１】
（２）メニューの設定により、電源を入れたときの選局番組を電源遮断時に視聴していたチャンネルとするか、ユーザー視聴の履歴によるおすすめ番組を選局することができる。
【００７２】
（３）推奨番組欄から視聴・録画予約が可能とすることができる。
【００７３】
さらに、全番組表の多くの番組の中から、視聴又は予約したい番組を探し出さなくても、推奨番組欄から容易に視聴又は予約等の操作をすることができ、便利である。
【００７４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００７５】
図８は、推奨番組での起動の様子を示す図である。上図は、表示部１７に前回終了時の放送局と同じ放送局のラストチャンネルの番組表示“ＡＡＡ”の表示８１がなされている。加えて、符号８３に示すように、「推奨チャンネル（推奨番組）の情報を取得中です。しばらくすると、推奨チャンネルに切り替わります。」というユーザへの報知（表示、音声でも良い）がなされ、その後に、下図のように、ラストチャンネルの番組から推奨番組への番組表示“ＢＢＢ”８５に切り替わる。尚、起動チャンネル設定メニューで設定することができる。これにより、起動時に自動的にラストチャンネルから推奨番組に遷移させることができるためユーザの操作が省けるという利点がある。加えて、ユーザへの報知により、推奨番組への切り替わり処理中であることを知らせることができ、番組の表示がいきなり切り替わってもユーザに安心感を与えることができる。
【００７６】
図９は、図８に対応する図であり、推奨チャンネルへの切替を中止しラストチャンネルを維持する例を示す図である。この場合の報知例８８では、「推奨チャンネル（推奨番組）の情報を取得中です。しばらくすると、推奨チャンネル（推奨番組のチャンネル）に切り替わります。ラストチャンネルを維持する場合は、終了ボタンを押して下さい。」など、ある操作により、ラストチャンネルを維持できることをユーザに知らせることで、ユーザに選択肢を与えることができる。この場合には、番組表示は、“ＡＡＡ”８１が維持される（図９上図と図９下図）。表示部の上隅や下隅に、選局されている番組や処理中の内容を特定できる表示をしても良い。
【００７７】
図１０は、推奨番組への切替処理の流れを示すフローチャート図である。図１０に示すように、処理が開始（電源オンなど）すると、ステップＳ３０１においてラストチャンネル（ラスト視聴）画面の表示が行われる。ここで、ステップＳ３０２において、推奨番組で起動する設定になっているかどうかを判定し、Ｎｏの場合には、処理を終了する（推奨番組に切り替わる）。Ｙｅｓの場合には、ステップＳ３０３に進み、現在時刻を取得し、ステップＳ３０４で、推奨番組情報取得中の表示を行う。ステップＳ３０５において、現在時刻の推奨番組のチャンネル情報を取得し、ステップＳ３０６において、チャンネル情報に基づいて推奨番組を選局し、画面に表示させる。これにより、推奨番組への切替設定がなされていない場合でも推奨番組への切替が行われる。尚、図９に示すように、推奨番組への切替設定がなされている場合でも、切替を行わない場合には、ステップＳ３０２でＮｏとなるが、ユーザ操作によりラストチャンネルの表示を維持することができる。
【００７８】
以上に説明したように、本実施の形態によれば、推奨番組と同じ時間帯の他の番組を全番組表示により容易に確認できる。従って、推奨番組よりも見たい番組があった場合にも、それを見逃すことを防止することができる。また、例えば、毎朝良く見るチャンネルについて、起動時に、推奨番組欄の表示された番組として自動選局されるようにすることで、操作を簡単にして気に入っている番組を視聴するようにすることができる。ユーザ設定されている場合でも、ユーザの意思でラストチャンネルを維持することも可能である。
【００７９】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００８０】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００８１】
また、「コンピュータシステム」は、ＷＷＷシステムを利用している場合であれば、ホームページ提供環境（あるいは表示環境）も含むものとする。
【００８２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００８３】
本発明は、番組表示装置に利用可能である。【００８４】
本明細書で引用した全ての刊行物、特許および特許出願をそのまま参考として本明細書にとり入れるものとする。
【図１】
2011074450.tif 000004
【図２】
2011074450.tif 000005
【図３】
2011074450.tif 000006
【図４】
2011074450.tif 000007
【図５】
2011074450.tif 000008
【図６】
2011074450.tif 000009
【図７】
2011074450.tif 000010
【図８】
2011074450.tif 000011
【図９】
2011074450.tif 000012
【図１０】
2011074450.tif 000013
【国際調査報告】
2011074450.tif 000014
2011074450.tif 000015
2011074450.tif 000016
2011074450.tif 000017